(57)【要約】【課題】簡単かつ安価なスクリーン構成で、広い観察範囲に亘って表示色ずれの少ない画像を表示できるプロジェクションシステムを提供する。【解決手段】複数色の直線偏光の投影光４を、少なくとも一つの投影光は他の投影光とは異なった方位の直線偏光で出射するプロジェクタ１と、投影光４を拡散または散乱させる透過型のスクリーン３と、プロジェクタ１とスクリーン３との間に配置され、複数色の投影光４をほぼ円偏光に変換する波長板２とを有する。【選択図】図１
2006023565.tif 000002
【特許請求の範囲】
【請求項１】
複数色の直線偏光の投影光を、少なくとも一つの投影光は他の投影光とは異なった方位の直線偏光で出射するプロジェクタと、上記投影光を拡散または散乱させる透過型のスクリーンと、上記プロジェクタと上記スクリーンとの間に配置され、上記複数色の投影光をほぼ円偏光に変換する波長板とを有することを特徴とするプロジェクションシステム。
【請求項２】
上記スクリーンは、２枚の透明基板と、これらを接合する光を拡散または散乱させる粒子を配合した接着層とを有することを特徴とする請求項１に記載のプロジェクションシステム。
【請求項３】
上記スクリーンは、透明基板と、該透明基板に配合された光を拡散または散乱させる粒子とを有することを特徴とする請求項１に記載のプロジェクションシステム。
【請求項４】
複数色の直線偏光の投影光を、少なくとも一つの投影光は他の投影光とは異なった方位の直線偏光で出射するプロジェクタと、上記投影光を入出射させる光学屈折面を有し、該光学屈折面を経て入射する上記投影光を反射させると共に、拡散または散乱させて上記光学屈折面から出射させる反射型のスクリーンと、上記プロジェクタと上記スクリーンとの間に配置され、上記複数色の投影光をほぼ円偏光に変換する波長板とを有することを特徴とするプロジェクションシステム。
【請求項５】
上記スクリーンは、透明基板と、反射面を有する基板と、これらを接合する光を拡散または散乱させる粒子を配合した接着層とを有することを特徴とする請求項４に記載のプロジェクションシステム。
【請求項６】
上記スクリーンは、透明基板と、該透明基板に配合された光を拡散または散乱させる粒子と、上記透明基板の裏面に設けた反射面とを有することを特徴とする請求項４に記載のプロジェクションシステム。
【請求項７】
上記プロジェクタから出射される複数色の直線偏光の投影光は、赤、緑、青の３種の色域光からなることを特徴とする請求項１乃至６のいずれか一項に記載のプロジェクションシステム。
【請求項８】
複数色の直線偏光の投影光を、少なくとも一つの投影光は他の投影光とは異なった方位の直線偏光として色合成手段で合成して、投影レンズを経て出射するプロジェクタにおいて、
上記色合成手段で合成された上記複数色の投影光をほぼ円偏光に変換する波長板を有することを特徴とするプロジェクタ。
【請求項９】
上記色合成手段は、ダイクロイックプリズムを有することを特徴とする請求項８に記載のプロジェクタ。
【請求項１０】
上記複数色の直線偏光の投影光は、赤、緑、青の３種の色域光からなることを特徴とする請求項８または９に記載のプロジェクタ。
【発明の詳細な説明】
【技術分野】
【０００１】
本発明は、プロジェクションシステムおよびこれに用いるプロジェクタに関するものである。
【背景技術】
【０００２】
従来のプロジェクションシステムとして、例えば図１１に示すように、プロジェクタ４１から出射された投影光４２により透過型のスクリーン４３上に画像を表示し、その投影表示された画像を、スクリーン４３を挟んでプロジェクタ４１とは反対側から観察者４４が観察するようにしたリアプロジェクションシステムが知られている。
【０００３】
このようなプロジェクションシステムにおいては、観察者４４が広い範囲で画像を観察できるようにするため、スクリーン４３として、プロジェクタ４１からの投影光４２を多方向に広げる機能を有するものが必要となり、その一例として、図１２に断面図で示すように、プラスチックからなる透明基板４３ａ，４３ｂを、光を拡散または散乱させる粒子を配合した接着層４３ｃにより接合して、投影光４２を接着層４３ｃに配合された粒子により拡散、散乱させて出射面４３ｄから種々の方向に偏向して出射させるように構成したものが知られている。かかるスクリーン４３を用いれば、簡単かつ安価なスクリーン構成で、観察範囲の広いプロジェクションシステムを実現することができる。
【０００４】
一方、プロジェクションシステムに用いられるプロジェクタ４１としては、赤（Ｒ），緑（Ｇ），青（Ｂ）用の３板のＬＣＤを有するものが知られている（非特許文献１参照）。このプロジェクタ４１では、図１３に示すように、Ｒ，Ｇ，Ｂ用ＬＣＤからの直線偏光のＲ光５１，Ｇ光５２，Ｂ光５３を色合成プリズム５５で合成して、投影レンズ５６により投影光４２として出射するようにしている。
【０００５】
ここで、色合成プリズム５５は、２つの直交するダイクロイック面５５ａ，５５ｂを有するクロスダイクロイックプリズムで構成されており、ダイクロイック面５５ａ，５５ｂは、例えば図１４に示すように、Ｓ偏光は波長５００ｎｍ以下および波長５７０ｎｍ以上の領域で反射させ、Ｐ偏光は波長４５０ｎｍ〜６２０ｎｍ程度の範囲で透過させる反射透過率特性を有している。そして、Ｒ光５１はダイクロイック面５５ａで反射されるようにＳ偏光で入射され、Ｇ光５２はダイクロイック面５５ａ，５５ｂを透過するようにＰ偏光で入射され、Ｂ光５３はダイクロイック面５５ｂで反射されるようにＳ偏光で入射されるようになっている。
【非特許文献１】西田信夫編集，「シリーズ  先端ディスプレイ技術７  大画面ディスプレイ」，初版，共立出版株式会社，２００２年５月２５日，ｐ．１０２−１０５
【発明の開示】
【発明が解決しようとする課題】
【０００６】
しかしながら、非特許文献１に開示のような３板のＬＣＤを有する一般的なプロジェクタ４１を用いた従来のプロジェクションシステムにあっては、スクリーン４３を斜め方向から観察した場合に、表示色が変化してしまうという問題がある。
【０００７】
すなわち、上記のプロジェクタ４１においては、図１３で説明したように、Ｒ光５１およびＢ光５３がＳ偏光、Ｇ光５２がＰ偏光となっているため、スクリーン４３の出射面におけるＰ偏光の透過率Ｔｐ、Ｓ偏光の透過率Ｔｓは、
Ｔｐ＝（ｓｉｎ２θ・ｓｉｎ２φ）／（ｓｉｎ２（θ＋φ）・ｃｏｓ２（θ−φ））
Ｔｓ＝（ｓｉｎ２θ・ｓｉｎ２φ）／ｓｉｎ２（θ＋φ）
ただし、ｎ・ｓｉｎθ＝ｓｉｎφ
ｎ：透明基板４５ｂの屈折率
θ：入射角
φ：出射角
で与えられ、偏光依存性を有することになる。このため、透明基板４３ｂの屈折率ｎが、例えば１．５の場合には、Ｐ偏光およびＳ偏光の透過率と出射角との関係は、図１５に示すようになる。
【０００８】
図１５から明らかなように、Ｐ偏光とＳ偏光との透過率差は、出射角が３０度を超えるあたりから顕著となる。このため、上記のようにＲ光およびＢ光をＳ偏光で、Ｇ光をＰ偏光でスクリーン４３に投射した場合において、スクリーン４３を斜めから観察すると、Ｒ光およびＢ光よりもＧ光が強く見えて、表示色がずれてしまうことになる。なお、スクリーン４３の接着層４３ｃによる拡散、散乱によって、偏光成分が完全に失われれば、このような問題は発生しないが、拡散、散乱によって偏光成分を完全に無くすことは実際には難しく、市販のスクリーンを測定しても偏光成分はある程度保存されている。
【０００９】
したがって、かかる事情に鑑みてなされた本発明の目的は、簡単かつ安価なスクリーン構成で、広い観察範囲に亘って表示色ずれの少ない画像を表示できるプロジェクションシステムおよびこれに用いるプロジェクタを提供するものである。
【課題を解決するための手段】
【００１０】
上記目的を達成する請求項１に係るプロジェクションシステムの発明は、複数色の直線偏光の投影光を、少なくとも一つの投影光は他の投影光とは異なった方位の直線偏光で出射するプロジェクタと、上記投影光を拡散または散乱させる透過型のスクリーンと、上記プロジェクタと上記スクリーンとの間に配置され、上記複数色の投影光をほぼ円偏光に変換する波長板とを有することを特徴とするものである。
【００１１】
請求項２に係る発明は、請求項１に記載のプロジェクションシステムにおいて、上記スクリーンは、２枚の透明基板と、これらを接合する光を拡散または散乱させる粒子を配合した接着層とを有することを特徴とするものである。
【００１２】
請求項３に係る発明は、請求項１に記載のプロジェクションシステムにおいて、上記スクリーンは、透明基板と、該透明基板に配合された光を拡散または散乱させる粒子とを有することを特徴とするものである。
【００１３】
請求項４に係るプロジェクションシステムの発明は、複数色の直線偏光の投影光を、少なくとも一つの投影光は他の投影光とは異なった方位の直線偏光で出射するプロジェクタと、上記投影光を入出射させる光学屈折面を有し、該光学屈折面を経て入射する上記投影光を反射させると共に、拡散または散乱させて上記光学屈折面から出射させる反射型のスクリーンと、上記プロジェクタと上記スクリーンとの間に配置され、上記複数色の投影光をほぼ円偏光に変換する波長板とを有することを特徴とするものである。
【００１４】
請求項５に係る発明は、請求項４に記載のプロジェクションシステムにおいて、上記スクリーンは、透明基板と、反射面を有する基板と、これらを接合する光を拡散または散乱させる粒子を配合した接着層とを有することを特徴とするものである。
【００１５】
請求項６に係る発明は、請求項４に記載のプロジェクションシステムにおいて、上記スクリーンは、透明基板と、該透明基板に配合された光を拡散または散乱させる粒子と、上記透明基板の裏面に設けた反射面とを有することを特徴とするものである。
【００１６】
請求項７に係る発明は、請求項１乃至６のいずれか一項に記載のプロジェクションシステムにおいて、上記プロジェクタから出射される複数色の直線偏光の投影光は、赤、緑、青の３種の色域光からなることを特徴とするものである。
【００１７】
請求項８に係る発明は、複数色の直線偏光の投影光を、少なくとも一つの投影光は他の投影光とは異なった方位の直線偏光として色合成手段で合成して、投影レンズを経て出射するプロジェクタにおいて、
上記色合成手段で合成された上記複数色の投影光をほぼ円偏光に変換する波長板を有することを特徴とするものである。
【００１８】
請求項９に係る発明は、請求項８に記載のプロジェクタにおいて、上記色合成手段は、ダイクロイックプリズムを有することを特徴とするものである。
【００１９】
請求項１０に係る発明は、請求項８または９に記載のプロジェクタにおいて、上記複数色の直線偏光の投影光は、赤、緑、青の３種の色域光からなることを特徴とするものである。
【発明の効果】
【００２０】
請求項１の発明によると、プロジェクタから出射される直線偏光の方位が異なる複数色の投影光は、波長板を通過することによりほぼ円偏光に変換されるので、スクリーン出射面における透過率が色ごとに異なるのを防止することができる。したがって、簡単かつ安価なスクリーン構成で、広い観察範囲に亘って表示色ずれの少ない画像を表示することができる。また、透過型のスクリーンを用いることで、外光の影響を受けにくく、黒浮きのない画像を表示することができる。
【００２１】
請求項２の発明によると、光を拡散または散乱させる粒子が透明基板同士を接合する接着層に配合されているので、接着層における粒子の配合を変えることにより容易に拡散、散乱特性を変化させることができる。
【００２２】
請求項３の発明によると、スクリーンが、光を拡散または散乱する粒子を配合した透明基板からなるので、スクリーンを簡素化でき、したがってシステムをより安価にできる。
【００２３】
請求項４の発明によると、プロジェクタから出射される直線偏光の方位が異なる複数色の投影光は、波長板を通過することによりほぼ円偏光に変換されるので、スクリーン出射面における透過率が色ごとに異なるのを防止することができる。したがって、簡単かつ安価なスクリーン構成で、広い観察範囲に亘って表示色ずれの少ない画像を表示することができる。また、反射型のスクリーンを用いることで、背面空間が不要となり設置面積を小さくすることができる。
【００２４】
請求項５の発明によると、透明基板と反射面を有する基板とを接合する接着層に、光を拡散または散乱させる粒子を配合したので、接着層における粒子の配合を変えることにより容易に拡散、散乱特性を変化させることができる。
【００２５】
請求項６の発明によると、スクリーンが、光を拡散または散乱する粒子を配合した透明基板の裏面に反射面を設けて構成されているので、スクリーンを簡素化でき、したがってシステムをより安価にできる。
【００２６】
請求項７の発明によると、プロジェクタから赤、緑、青の３種の色域光の投影光が出射されるので、広い色再現領域を確保することができる。
【００２７】
請求項８の発明によると、プロジェクタから複数色の投影光がほぼ円偏光で出射されるので、プロジェクションシステムを構成する際に、１／４波長板等を新たに設置しなくても、簡単かつ安価なスクリーン構成で、広い観察範囲に亘って表示色ずれの少ない画像を表示することができ、システムの簡略化および低コスト化が図れる。
【００２８】
請求項９の発明によると、ダイクロイックプリズムを用いて色合成手段を構成するので、複数色の直線偏光の投影光を簡単に合成することができる。
【００２９】
請求項１０の発明によると、赤、緑、青の３種の色域光の投影光を出射するので、広い色再現領域を確保できるプロジェクタを実現することができる。
【発明を実施するための最良の形態】
【００３０】
以下、本発明の実施の形態を、図面を参照して説明する。
【００３１】
（第１実施の形態）
図１乃至図３は本発明の第１実施の形態を示すもので、図１はプロジェクションシステムの全体構成を示す概略図、図２は図１に示すプロジェクタの要部の構成を示す図、図３は図１に示すスクリーンの構成を示す断面図である。
【００３２】
本実施の形態のプロジェクションシステムは、図１に示すように、プロジェクタ１、１／４波長板２、透過型のスクリーン３を有し、プロジェクタ１からの投影光４を、１／４波長板２を経て透過型のスクリーン３に投影して画像を表示し、その投影表示された画像を、スクリーン３を挟んでプロジェクタ１とは反対側から観察するようにしたリアプロジェクションシステムを示すものである。
【００３３】
プロジェクタ１は、図１１に示したプロジェクタ４１と同様に、赤（Ｒ），緑（Ｇ），青（Ｂ）用の３板のＬＣＤを有するものを用い、該プロジェクタ１において、図２に示すように、Ｒ，Ｇ，Ｂ用ＬＣＤからの直線偏光のＲ光５，Ｇ光６，Ｂ光７を色合成プリズム８で合成して、投影レンズ９により投影光４として出射させる。
【００３４】
色合成プリズム８は、図１３に示した色合成プリズム５５と同様に、２つの直交するダイクロイック面８ａ，８ｂを有するクロスダイクロイックプリズムで構成する。ダイクロイック面８ａ，８ｂは、例えば図１４に示したように、Ｓ偏光は波長５００ｎｍ以下および波長５７０ｎｍ以上の領域で反射させ、Ｐ偏光は波長４５０ｎｍ〜６２０ｎｍ程度の範囲で透過させる反射透過率特性を有して構成し、この色合成プリズム８に、Ｒ光５をダイクロイック面８ａで反射されるようにＳ偏光で入射させ、Ｇ光６はダイクロイック面８ａ，８ｂを透過するようにＰ偏光で入射させ、Ｂ光７はダイクロイック面８ｂで反射させるようにＳ偏光で入射させる。したがって、投影レンズ９から出射されるＲ光５およびＢ光７の直線偏光の方位と、Ｇ光６の直線偏光の方位とは直交することになる。
【００３５】
１／４波長板２は、その光学軸を、投影レンズ９から出射されるＲ光５，Ｇ光６，Ｂ光７の偏光方向に対して４５度傾けて配置し、これによりスクリーン３に投射されるＲ光５およびＢ光７を例えば右回り円偏光に、Ｇ光６を例えば左回り円偏光にそれぞれ変換する。
【００３６】
スクリーン３は、図１２に示したスクリーン４３と同様に構成する。すなわち、図３に示すように、プラスチックからなる透明基板３ａ，３ｂを、光を拡散または散乱させる粒子を配合した接着層３ｃにより接合して構成し、これによりプロジェクタ１からの投影光４を、透明基板３ａを経て接着層３ｃに入射させて、該接着層３ｃに配合した粒子により拡散、散乱させ、その種々の方向に偏向された投影光４を、透明基板３ｂを経てその出射面３ｄから出射させることにより、その出射光を観察者１０が視認することで投影画像を観察できるようにする。
【００３７】
本実施の形態によれば、プロジェクタ１から出射される直線偏光のＲ，Ｇ，Ｂ光を、１／４波長板２によりそれぞれ円偏光に変換してスクリーン３に投射するようにしたので、投影光４がスクリーン３の出射面３ｄから大きい出射角で出射する場合においても、各色の透過率を等しくすることができる。したがって、観察者１０は、スクリーン３を斜めから観察した場合でも、表示色にずれを生じることなく、スクリーン３を正対して観察した場合と同じ表示色で画像を観察することができる。また、この本実施の形態で用いる透過型のスクリーン３は、透明基板３ａ，３ｂを接着層３ｃにより接合したシンプルな構造とすることができるので、低コスト化が期待できると共に、接着層３ｃに配合する拡散、散乱粒子を変えることで、スクリーン３の視野特性を容易に変化させることができる利点もある。
【００３８】
（第２実施の形態）
図４は、本発明の第２実施の形態に係るプロジェクションシステムに用いるスクリーンの構成を示す断面図である。
【００３９】
このスクリーン１３は、第１実施の形態に示したプロジェクションシステムに用いる透過型のもので、プラスチックからなる透明基板１３ａに、光を拡散または散乱する粒子１３ｂを配合し、この拡散または散乱粒子１３ｂで入射した投影光を拡散または散乱されて透明基板１３ａを透過させることにより、第１実施の形態と同様に投影像を観察できるように構成したものである。
【００４０】
本実施の形態に係るスクリーン１３を用いれば、スクリーン形状を第１実施の形態のスクリーン３よりもシンプルにできるので、第１実施の形態の効果に加えて、システム全体のさらなる低コスト化が期待できる。
【００４１】
（第３実施の形態）
図５は、本発明の第３実施の形態に係るプロジェクタの要部の構成を示す図である。
【００４２】
本実施の形態では、第１あるいは第２実施の形態に示したプロジェクションシステムにおいて、プロジェクタ１から６色からなる投影光４を出射するようにしたものである。このため、プロジェクタ１内には、図示しないが各色に対応する６板のＬＣＤを設け、そのうちの３板のＬＣＤからの直線偏光の光２１，２２，２３を色合成プリズム２４で合成し、他の３板のＬＣＤからの直線偏光の光２５，２６，２７を色合成プリズム２８で合成する。さらに、色合成プリズム２４，２８で合成された光２９，３０は、ハーフミラープリズム３１のハーフミラー面３１ａで合成して投影レンズ９を経て投影光４として出射させ、その投影光４を１／４波長板２（図１参照）により円偏光に変換して第１実施の形態に示したスクリーン３あるいは第２実施の形態に示したスクリーン１３に投影する。
【００４３】
ここで、６色の投影光は、例えばＲの短波長側の光ＲＳおよび長波長側の光ＲＬ、Ｇの短波長側の光ＧＳおよび長波長側の光ＧＬ、Ｂの短波長側の光ＢＳおよび長波長側の光ＢＬとし、それぞれの短波長側の光ＲＳ，ＧＳ，ＢＳを、例えば光２１，２２，２３として色合成プリズム２４で合成し、それぞれの長波長側の光ＲＬ，ＧＬ，ＢＬを、例えば光２５，２６，２７として色合成プリズム２８で合成する。
【００４４】
また、色合成プリズム２４，２８は、それぞれ２つの直交するダイクロイック面２４ａ，２４ｂ；２８ａ，２８ｂを有するクロスダイクロイックプリズムとし、ダイクロイック面２４ａ，２４ｂ；２８ａ，２８ｂの各々は、例えば図１４に示した反射透過率特性と同様の特性を有して構成する。
【００４５】
本実施の形態によれば、第１実施の形態あるいは第２実施の形態と同様の効果が得られる他、６色の投影光を投射するので、表示色を増加でき、色表示範囲を拡大することができる。
【００４６】
（第４実施の形態）
図６および図７は本発明の第４実施の形態を示すもので、図６はプロジェクションシステムの全体構成を示す概略図、図７は図６に示すスクリーンの構成を示す断面図である。
【００４７】
本実施の形態では、第１実施の形態あるいは第３実施の形態で説明したプロジェクタ１からの直線偏光の投影光４を１／４波長板２により円偏光に変換して反射型のスクリーン３５に投影して画像を表示し、その投影表示された画像を、プロジェクタ１側から観察者１０により観察するようにしたフロントプロジェクションシステムを示すものである。
【００４８】
スクリーン３５は、図７に示すように、プラスチックからなる透明基板３５ａと反射面を有する基板３５ｂとを、光を拡散または散乱させる粒子を配合した接着層３５ｃにより接合し、透明基板３５ａの基板３５ｂとは反対側の面を光学屈折面からなる入出射面３５ｄとして、入出射面３５ｄを経て入射した投影光４を、基板３５ｂで反射させると共に、接着層３５ｃに配合した粒子により拡散、散乱させて、入出射面３５ｄから種々の方向に偏向して出射させ、その出射光３６を観察者１０において視認することにより投影画像を観察できるようにする。
【００４９】
本実施の形態によれば、第１実施の形態あるいは第３実施の形態と同様の効果が得られる他、反射型のスクリーン３５を用いるので、観察者１０側にプロジェクタ１を配置でき、これによりスクリーン３５の後ろの空間（バックヤード）を不要にできるので、システムを小型化できるという効果がある。
【００５０】
なお、本実施の形態においては、スクリーン３５に代えて、図８に断面図で示すような反射型のスクリーン３７を用いることもできる。このスクリーン３７は、プラスチックからなる透明基板３７ａに、光を拡散または散乱する粒子３７ｂを配合し、透明基板３７ａの裏面には反射面３７ｃを設け、表面は光学屈折面からなる入出射面３７ｄとして、入出射面３７ｄを経て入射した投影光４を、反射面３７ｃで反射させると共に、拡散または散乱粒子３７ｂで拡散または散乱されて、入出射面３７ｄから種々の方向に偏向して出射させるようにしたものである。
【００５１】
この反射型のスクリーン３７を用いれば、スクリーン形状をスクリーン３５よりもシンプルにできるので、システム全体のさらなる低コスト化が期待できる。
【００５２】
（第５実施の形態）
図９は、本発明の第５実施の形態に係るプロジェクタの要部の構成を示す図である。
【００５３】
このプロジェクタ３８は、第１実施の形態に示したプロジェクタ１において、色合成プリズム８と投影レンズ９との間の光路中に１／４波長板２を内蔵させて、色合成プリズム８で合成された直線偏光のＲ光５およびＢ光７を例えば右回りの円偏光に、Ｇ光６を例えば左回りの円偏光にそれぞれ変換して投影レンズ９から投影光４として出射させるようにしたものである。
【００５４】
このように、１／４波長板２をプロジェクタ３８に内蔵させて、Ｒ，Ｇ，Ｂの投影光４を円偏光にして出射させるようにすれば、プロジェクションシステムを構成する際に、１／４波長板を新たに設置する必要がないので、プロジェクションシステムを簡単に構築することができる。
【００５５】
（第６実施の形態）
図１０は、本発明の第６実施の形態に係るプロジェクタの要部の構成を示す図である。
【００５６】
このプロジェクタ３８は、第３実施の形態に示したプロジェクタ１において、ハーフミラープリズム３１と投影レンズ９との間の光路中に１／４波長板２を内蔵させて、ハーフミラープリズム３１で合成された直線偏光のＲＳ光２１，ＢＳ光２３，ＲＬ光２５およびＢＬ光２７を例えば右回り円偏光に、ＧＳ光２２およびＧＬ光２６を例えば左回り円偏光にそれぞれ変換して投影レンズ９から投影光４として出射させるようにしたものである。
【００５７】
したがって、本実施の形態においても、第５実施の形態と同様の効果を得ることができる。
【００５８】
なお、本発明は、上記実施の形態にのみ限定されるものではなく、幾多の変形または偏光が可能である。例えば、第５実施の形態においては、１／４波長板２を、色合成プリズム８の出射面に貼り付けたり、投影レンズ９の出射面側に配置したりすることができる。同様に、第６実施の形態においても、１／４波長板２を、ハーフミラープリズム３１の出射面に貼り付けたり、投影レンズ９の出射面側に配置したりすることができる。
【００５９】
また、上記実施の形態では、各色の投影光を１／４波長板により円偏光に変換したが、円偏光から若干ずれていても広い観察範囲に亘って表示色ずれの少ない画像を表示できるので、１／４波長板に代えて、例えば１／５波長板等を用いることもできる。
【図面の簡単な説明】
【００６０】
【図１】本発明の第１実施の形態に係るプロジェクションシステムの全体構成を示す概略図である。
【図２】図１に示すプロジェクタの要部の構成を示す図である。
【図３】図１に示すスクリーンの構成を示す断面図である。
【図４】本発明の第２実施の形態に係るプロジェクションシステムに用いるスクリーンの構成を示す断面図である。
【図５】本発明の第３実施の形態に係るプロジェクタの要部の構成を示す図である。
【図６】本発明の第４実施の形態に係るプロジェクションシステムの全体構成を示す概略図である。
【図７】図６に示すスクリーンの構成を示す断面図である。
【図８】第４実施の形態で使用可能なスクリーンの変形例を示す断面図である。
【図９】本発明の第５実施の形態に係るプロジェクタの要部の構成を示す図である。
【図１０】同じく、第６実施の形態に係るプロジェクタの要部の構成を示す図である。
【図１１】従来のプロジェクションシステムの全体構成を示す概略図である。
【図１２】図１１に示すスクリーンの構成を示す断面図である。
【図１３】図１１に示すプロジェクタの要部の構成を示す図である。
【図１４】図１３に示す色合成プリズムの反射透過率特性を示す図である。
【図１５】図１１に示すスクリーンの透過率特性を示す図である。
【符号の説明】
【００６１】
１  プロジェクタ
２  １／４波長板
３  スクリーン
３ａ，３ｂ  透明基板
３ｃ  接着層
３ｄ  出射面
４  投影光
８  色合成プリズム
８ａ，８ｂ  ダイクロイック面
９  投影レンズ
１０  観察者
１３  スクリーン
１３ａ  透明基板
１３ｂ  粒子
２４，２８  色合成プリズム
２４ａ，２４ｂ，２８ａ，２８ｂ  ダイクロイック面
３１  ハーフミラープリズム
３１ａ  ハーフミラー面
３５  スクリーン
３５ａ  透明基板
３５ｂ  基板
３５ｃ  接着層
３５ｄ  入出射面
３６  出射光
３７  スクリーン
３７ａ  透明基板
３７ｂ  粒子
３７ｃ  反射面
３７ｄ  入出射面
３８  プロジェクタ
【図１】
2006023565.tif 000003
【図２】
2006023565.tif 000004
【図３】
2006023565.tif 000005
【図４】
2006023565.tif 000006
【図５】
2006023565.tif 000007
【図６】
2006023565.tif 000008
【図７】
2006023565.tif 000009
【図８】
2006023565.tif 000010
【図９】
2006023565.tif 000011
【図１０】
2006023565.tif 000012
【図１１】
2006023565.tif 000013
【図１２】
2006023565.tif 000014
【図１３】
2006023565.tif 000015
【図１４】
2006023565.tif 000016
【図１５】
2006023565.tif 000017